(57)【要約】      （修正有）【課題】使用用途あるいは好みに応じた初期設定を提供できる画像処理装置および画像処理装置の設定方法を提供する。【解決手段】画像処理装置は記憶部５４と表示部と表示制御部５１と設定履歴保存部５５ａと判断部５１と更新部５１とを有する。設定履歴保存部５５ａは表示部に表示した設定内容で画像処理を実行する場合、実行する処理の設定内容を設定履歴情報として保存する。判断部５１は設定履歴保存部５５ａに保存した複数の設定履歴情報により記憶部５４に記憶したデフォルト設定を変更すべきか否かを判断する。更新部５１は判断部５１によりデフォルト設定を変更すべきと判断した場合、記憶部５４が記憶するデフォルト設定を設定履歴保存部５５ａに保存した複数の設定履歴情報から決定されるデフォルト設定に更新する。【選択図】図４
2011166781.tif 000002
【特許請求の範囲】
【請求項１】
画像処理装置であって、
デフォルト設定を記憶する記憶部と、
前記記憶部に記憶したデフォルト設定を反映した設定内容を表示する表示部と、
ユーザからの指示に応じて変更した設定内容を表示部に表示させる表示制御部と、
前記表示部に表示した設定内容で画像処理を実行する場合、実行する処理の設定内容を設定履歴情報として保存する設定履歴保存部と、
前記設定履歴保存部に保存した複数の設定履歴情報により前記記憶部に記憶したデフォルト設定を変更すべきか否かを判断する判断部と、
前記判断部によりデフォルト設定を変更すべきと判断した場合、前記記憶部が記憶する前記デフォルト設定を前記設定履歴保存部に保存した複数の設定履歴情報から決定されるデフォルト設定に更新する更新部と、
を有することを特徴とする画像処理装置。
【請求項２】
さらに、前記記憶部に記憶したデフォルト設定の変更基準を示す条件を記憶するメモリを有し、
前記判断部は、前記設定履歴保存部に保存した設定履歴情報を集計した集計データが前記メモリに記憶したデフォルト設定の変更基準を示す条件を満たしている場合、前記デフォルト設定を変更すべきと判断する、
ことを特徴とする前記請求項１に記載の画像処理装置。
【請求項３】
前記メモリは、デフォルト設定に含まれる設定項目に対する設定値について変更基準となる設定頻度を記憶し、
前記判断部は、前記設定履歴保存部に設定履歴情報として保存した設定項目のうち設定頻度が前記デフォルト設定の変更基準の頻度以上となった設定項目があるか否かによりデフォルト設定を変更するか否かを判断する、
ことを特徴とする前記請求項２に記載の画像処理装置。
【請求項４】
前記更新部は、前記記憶部が記憶する前記デフォルト設定において、前記判断部により設定頻度が変更基準の頻度以上と判断した設定項目の設定値を、変更基準の頻度以上となった設定値に変更する、
ことを特徴とする前記請求項３に記載の画像処理装置。
【請求項５】
ユーザが入力するユーザ認証情報により当該ユーザを登録者であるか否かを認証する認証部を有し、
前記記憶部は、前記認証部による認証対象となる登録者としてのユーザごとにデフォルト設定を記憶し、
前記表示部は、前記認証部により登録者であることが認証されたユーザに対応するデフォルト設定を反映した設定内容を表示する、
ことを特徴とする前記請求項１に記載の画像処理装置。
【請求項６】
前記記憶部は、前記認証部による認証対象となる各登録者に対するデフォルト設定と前記認証部による認証が不要な不特定のユーザに対するデフォルト設定とを記憶し、
前記表示部は、前記認証部が登録者であることを認証した場合、当該ユーザに対応するデフォルト設定を反映した設定内容を表示し、前記認証部による認証が成功していない場合、不特定のユーザに対するデフォルト設定を反映した設定内容を表示する、
ことを特徴とする前記請求項５に記載の画像処理装置。
【請求項７】
原稿の画像を読み取るスキャナを有し、
前記記憶部は、前記スキャナにより読み取った画像を処理するためのデフォルト設定を記憶する、
ことを特徴とする前記請求項１に記載の画像処理装置。
【請求項８】
前記スキャナにより読み取った原稿の画像のカラーを判定するカラー判定部を有し、
前記記憶部は、前記カラー判定部がカラー判定に用いる閾値を含むデフォルト設定を記憶する、
ことを特徴とする前記請求項７に記載の画像処理装置。
【請求項９】
前記判断部は、前記設定履歴保存部に保存した設定履歴情報におけるカラー設定の頻度により前記デフォルト設定におけるカラー判定の閾値を変更するか否かを判断する、
ことを特徴とする前記請求項８に記載の画像処理装置。
【請求項１０】
さらに、画像を被画像形成媒体に形成する画像形成部を有し、
前記記憶部は、被画像形成媒体に形成する画像を処理するためのデフォルト設定を記憶する、
ことを特徴とする前記請求項１に記載の画像処理装置。
【請求項１１】
さらに、前記画像形成部により被画像形成媒体に形成する画像の画質を検知するセンサを有し、
前記記憶部は、画像処理のパラメータを含むデフォルト設定を記憶し、
前記設定履歴保存部は、前記センサで検知した検知情報を含めた設定履歴情報を保存する、
ことを特徴とする前記請求項１０に記載の画像処理装置。
【請求項１２】
前記判断部は、前記設定履歴保存部に保存した設定履歴情報における前記センサの検知情報により、前記デフォルト設定に含まれる画像処理のパラメータを変更するか否かを判断する、
ことを特徴とする前記請求項１１に記載の画像処理装置。
【請求項１３】
画像処理装置に対する設定方法であって、
デフォルト設定をメモリに記憶し、
前記メモリに記憶したデフォルト設定を反映した設定内容を表示部に表示し、
ユーザからの指示に応じて変更した設定内容を表示部に表示させ、
前記表示部に表示した設定内容で画像処理を実行する場合、実行する処理の設定内容を設定履歴情報として保存部に保存し、
前記保存した複数の設定履歴情報により前記記憶部に記憶したデフォルト設定を変更すべきか否かを判断し、
前記判断によりデフォルト設定を変更すべきと判断した場合、前記メモリに記憶する前記デフォルト設定を前記複数の設定履歴情報から決定されるデフォルト設定に更新する、
ことを特徴とする画像処理装置に対する設定方法。
【請求項１４】
さらに、前記デフォルト設定の変更基準を示す条件をメモリに記憶しておき、
前記判断は、前記複数の設定履歴情報を集計した集計データが前記デフォルト設定の変更基準を示す条件を満たしている場合、前記デフォルト設定を変更すべきと判断する、
ことを特徴とする前記請求項１３に記載の画像処理装置に対する設定方法。
【請求項１５】
前記デフォルト設定の変更基準を示す条件は、前記デフォルト設定に含まれる設定項目における設定値に対する変更基準となる設定頻度であり、
前記判断は、前記複数の設定履歴情報における設定項目のうち設定頻度が前記デフォルト設定の変更基準の頻度以上となった設定項目があるか否かによりデフォルト設定を変更するか否かを判断する、
ことを特徴とする前記請求項１４に記載の画像処理装置に対する設定方法。
【請求項１６】
前記更新は、前記デフォルト設定において、前記判断により設定頻度が変更基準の頻度以上と判断した設定項目の設定値を、変更基準の頻度以上となった設定値に変更する、
ことを特徴とする前記請求項１５に記載の画像処理装置に対する設定方法。
【請求項１７】
さらに、ユーザが入力するユーザ認証情報により当該ユーザが登録者であるか否かを認証し、
前記デフォルト設定は、前記認証による認証対象となる登録者としてのユーザごとに設定され、
前記表示部には、前記認証により登録者であることが認証されたユーザに対応するデフォルト設定を反映した設定内容を表示する、
ことを特徴とする前記請求項１３に記載の画像処理装置に対する設定方法。
【請求項１８】
スキャナが読み取った画像に対して画像処理を施し、
前記デフォルト設定には、前記スキャナが読み取った画像に対する画像処理のパラメータを含む、
ことを特徴とする前記請求項１３に記載の画像処理装置に対する設定方法。
【請求項１９】
さらに、画像を被画像形成媒体に形成し、
前記デフォルト設定には、被画像形成媒体に画像を形成する処理のためのパラメータを含む、
ことを特徴とする前記請求項１３に記載の画像処理装置に対する設定方法。
【請求項２０】
さらに、前記被画像形成媒体に形成する画像の画質をセンサにより検知し、
前記デフォルト設定には、被画像形成媒体に画像を形成する処理のためのパラメータを含み、
前記設定履歴情報には、前記センサで検知した検知情報を含めた設定履歴情報を保存し、
前記判断は、前記複数の設定履歴情報における前記センサの検知情報により、前記デフォルト設定に含まれる被画像形成媒体に画像を形成するためのパラメータを変更するか否かを判断する、
ことを特徴とする前記請求項１９に記載の画像処理装置に対する設定方法。
【発明の詳細な説明】
【技術分野】
【０００１】
本実施形態は、画像処理装置および画像処理装置における設定方法に関する。
【背景技術】
【０００２】
デジタル複合機などの画像処理装置は、各ユーザが使用用途および好みによって設定する。デジタル複合機などの画像処理装置は、デフォルト設定からユーザが変更したい設定項目を指示する。このため、デフォルト設定の内容がユーザの要望する使用用途および好みに近ければ近いほど、ユーザの操作性は、向上する。しかしながら、デジタル複合機などの画像処理装置は、個々のユーザが要望する使用用途および好みが常に同じではない。すなわち、従来のデジタル複合機などの画像処理装置では、ユーザの要望する使用用途および好みに応じたデフォルト設定を提供することは難しいという問題がある。
【先行技術文献】
【特許文献】
【０００３】
【特許文献１】米国特許公報７６３４８０１  Ｂ２
【発明の概要】
【発明が解決しようとする課題】
【０００４】
本実施形態によれば、使用用途あるいは好みに応じた初期設定を提供できる画像処理装置および画像処理装置の設定方法を提供することを目的とする。
【課題を解決するための手段】
【０００５】
実施形態によれば、画像処理装置は、記憶部と、表示部と、表示制御部と、設定履歴保存部と、判断部と、更新部と、を有する。記憶部は、デフォルト設定を記憶する。表示部は、記憶部に記憶したデフォルト設定を反映した設定内容を表示する。表示制御部は、ユーザからの指示に応じて変更した設定内容を表示部に表示させる。設定履歴保存部は、表示部に表示した設定内容で画像処理を実行する場合、実行する処理の設定内容を設定履歴情報として保存する。判断部は、設定履歴保存部に保存した複数の設定履歴情報により記憶部に記憶したデフォルト設定を変更すべきか否かを判断する。更新部は、判断部によりデフォルト設定を変更すべきと判断した場合、記憶部が記憶するデフォルト設定を設定履歴保存部に保存した複数の設定履歴情報から決定されるデフォルト設定に更新する。
【図面の簡単な説明】
【０００６】
【図１】図１は、デジタル複合機の構成例を示す外観図である。
【図２】図２は、デジタル複合機の構成例を示す断面図である。
【図３】図３は、コントロールパネルの構成例を示す図である。
【図４】図４は、デジタル複合機における制御系の構成例を説明するためのブロック図である。
【図５】図５は、デフォルト設定データベースの構成例を示す図である。
【図６】図６は、設定履歴データベースの構成例である。
【図７】図７は、集計データベースの構成例を示す図である。
【図８】図８は、デフォルト設定の学習機能を概念的に示す図である。
【図９】図９は、デフォルト設定の学習機能を説明するためのフローチャートである。
【発明を実施するための形態】
【０００７】
以下、実施の形態について図面を参照しつつ詳細に説明する。  
まず、画像処理装置としてのデジタル複合機（ＭＦＰ，Multi-Functional Peripheral）の構成について説明する。  
図１は、デジタル複合機の外観構成例を示す斜視図である。また、図２は、デジタル複合機の内部構成例を概略的に示す断面図である。図１に示すように、デジタル複合機は、スキャナ１、プリンタ２、フィニッシャ３、コントロールパネル４およびシステム制御部５を有する。
【０００８】
スキャナ１は、デジタル複合機の本体上部に設置する。スキャナ１は、システム制御部５により制御される。スキャナ１は、原稿の画像を読み取って画像データに変換する装置である。スキャナ１は、原稿の画像データをシステム制御部５へ出力する。  
スキャナ１は、原稿における主走査方向の１ライン分の画像を画像データに変換するＣＣＤラインセンサを含む光電変換部としての画像読取部１０を有する。画像読取部１０は、原稿の副走査方向にＣＣＤラインセンサで原稿を走査することにより原稿全体の画像を読み取る。
【０００９】
スキャナ１は、原稿台ガラス１１および原稿センサ１２を有する。原稿台ガラス１１は、画像読取部１０がスキャンする原稿を載置する。画像読取部１０は、原稿台ガラス１１のガラスを介して原稿台ガラス１１上の原稿をスキャンする。原稿センサ１２は、原稿台ガラス１１上の原稿を検知する。原稿センサ１２は、原稿台ガラス１１上における原稿の有無を示す信号を出力する。原稿センサ１２は、原稿台ガラス１１上の原稿サイズを検知する。
【００１０】
スキャナ１は、自動原稿送り装置（ＡＤＦ：Auto Document Feeder）１３を有する。ＡＤＦ１３は、給紙トレイ１４を有する。給紙トレイ１４は、読取対象とする原稿を保持する。ＡＤＦ１３は、給紙トレイ１４が保持する原稿を１枚ずつ搬送する。スキャナ１は、ＡＤＦ１３が搬送する原稿の画像を読み取る。スキャナ１において、ＡＤＦ１３は、原稿台ガラス１１上に載置した原稿に対するカバーとしても機能する。ＡＤＦ１３は、全体が開閉可能な状態で、デジタル複合機本体における原稿台ガラス１１の上に取り付ける。
【００１１】
プリンタ２は、システム制御部５により制御される。プリンタ２は、システム制御部５から供給される画像データを被画像形成媒体としての用紙にプリントする。  
プリンタ２は、給紙カセット２１Ａ、２１Ｂ、２１Ｃを有する。これらの給紙カセット２１Ａ、２１Ｂ、２１Ｃは、画像をプリントする被画像形成媒体としての用紙を収納する。たとえば、各給紙カセット２１Ａ、２１Ｂ、２１Ｃは、デジタル複合機本体の下部に着脱可能である。各給紙カセット２１Ａ、２１Ｂ、２１Ｃは、それぞれ給紙ローラ２２Ａ，２２Ｂ，２２Ｃを有する。各給紙ローラ２２Ａ，２２Ｂ，２２Ｃは、各給紙カセット２１Ａ、２１Ｂ、２１Ｃから用紙を一枚ずつ取り出す。
【００１２】
搬送部２３は、プリンタ２内で用紙を搬送する。搬送部２３は、複数の搬送ローラ２３ａ〜２３ｆおよびレジストローラ２４を有する。搬送部２３は、各給紙ローラ２２Ａ，２２Ｂ，２２Ｃが取り出した用紙をレジストローラ２４へ用紙を搬送する。上記レジストローラ２４は、画像を転写するタイミングで用紙を転写位置へ搬送する。
【００１３】
複数の画像形成部２５（２５Ｙ、２５Ｍ、２５Ｃ、２５Ｋ）は、それぞれ各色（イエロー、マゼンタ、シアン、ブラック）の画像を形成する。露光部２６は、各画像形成部２５（２５Ｙ、２５Ｍ、２５Ｃ、２５Ｋ）における像担持体としての感光体ドラムＤｙ、Ｄｍ、Ｄｃ、Ｄｋに各色で現像される画像としての静電潜像を形成する。各画像形成部２５（２５Ｙ、２５Ｍ、２５Ｃ、２５Ｋ）は、それぞれ感光体ドラムＤｙ、Ｄｍ、Ｄｃ、Ｄｋ上に形成された静電潜像を各色（イエロー、マゼンタ、シアン、ブラック）のトナーで現像することによりトナー像を形成する。中間転写ベルト２７は、中間転写体である。各画像形成部２５（２５Ｙ、２５Ｍ、２５Ｃ、２５Ｋ）は、それぞれ感光体ドラムＤｙ、Ｄｍ、Ｄｃ、Ｄｋ上に形成した各色のトナー像を中間転写ベルト２７上に転写（一次転写）する。
【００１４】
また、各画像形成部２５（２５Ｙ、２５Ｍ、２５Ｃ、２５Ｋ）は、電位センサＳｖおよび濃度センサＳｄなどのセンサを有する。電位センサＳｖは、感光体ドラムの表面電位を検知するセンサである。各画像形成部２５（２５Ｙ、２５Ｍ、２５Ｃ、２５Ｋ）において、各感光体ドラムは、露光部２６により露光される前に、表面が帯電チャージャにより帯電される。電位センサＳｖは、帯電チャージャにより表面が帯電された後の感光体ドラムにおける表面電位を検知する。濃度センサＳｄは、中間転写体２７上に転写したトナー像の濃度を検知する。また、濃度センサＳｄは、感光体ドラムＤｙ、Ｄｍ、Ｄｃ、Ｄｋ上に形成したトナー像を検知するものであっても良い。
【００１５】
各画像形成部２５Ｙ、２５Ｍ、２５Ｃおよび２５Ｋは、各色（イエロー、マゼンタ、シアン、ブラック）のトナーで現像したトナー像を中間転写ベルト２７上に重ねて転写する（１次転写する）。中間転写ベルト２７は、各色のトナー像が重なり合ったカラー画像を保持する。転写部２８は、中間転写ベルト２７上の複数色のトナーによるカラー画像を２次転写位置において用紙に転写する。２次転写位置は、中間転写ベルト２７上のトナー像を用紙に転写する位置である。２次転写位置は、支持ローラ２８ａおよび２次転写ローラ２８ｂが対向する位置である。
【００１６】
レジストローラ２４は、中間転写ベルト２７上のトナー画像にタイミングを合わせて用紙を２次転写位置へ搬送する。転写部２８は、２次転写位置においてトナー像を転写した用紙を定着部２９へ供給する。定着部２９は、トナー像を用紙に定着する。定着部２９は、上記転写部２８がトナー像を転写した用紙を加圧状態で加熱する。定着部２９は、定着処理した用紙を排紙部３０あるいはフィニッシャ３の何れかへ搬送（排出）する。
【００１７】
また、定着部２９の後段には、定着処理した用紙における画像を読み取るイメージセンサＳｉを設けても良い。イメージセンサＳｉは、定着処理後の用紙における画像の画質（例えば、色彩情報、階調情報）を検知するセンサとして機能する。イメージセンサＳｉは、定着処理された用紙上の画像を画像データとして読み取る。イメージセンサＳｉによる検知結果としての画像データは、システム制御部５へ出力する。システム制御部５は、イメージセンサＳｉからの画像データを解析することにより実際に紙にプリントされた画像の画質を検出できる。
【００１８】
フィニッシャ３は、プリンタ２が画像を形成した用紙を処理する排紙機構部３２および用紙をスタックする排紙トレイ３３を有する。フィニッシャ３は、排紙トレイ３３にスタックした用紙をステープルする機能、あるいはホールパンチする機能を有するものであっても良い。  
なお、図２に示すプリンタ２は、電子写真方式のプリンタである。ただし、本実施の形態のプリンタは、電子写真方式に限定されるものでない。本実施の形態は、たとえば、インクジェット方式あるいは熱転写方式などの電子写真方式以外のプリンタにも適用できる。
【００１９】
コントロールパネル４は、ユーザインターフェースである。たとえば、ユーザは、コントロールパネル４において設定情報などの情報を入力する。コントロールパネル４は、システム制御部５により制御される。コントロールパネル４は、ユーザが入力した情報をシステム制御部５へ出力する。また、コントロールパネル４は、ユーザがユーザ認証情報を入力するためのユーザ認証情報入力部としても機能する。
【００２０】
図３は、コントロールパネル４の構成例を示す図である。図３に示す例では、コントロールパネル４は、表示部４１、タッチパネル４２、および、複数の操作ボタン４３（４３ａ〜４３ｐ）を有する。表示部４１は、案内を表示する。表示部４１は、表示画面上にタッチパネル４２を有する。タッチパネル４２は、表示部４１の表示画面上においてユーザがタッチした部位を検知する。ユーザは、表示部４１が表示するアイコンをタッチパネル４２により選択できる。
【００２１】
複数の操作ボタン４３は、メニューボタン４３ａ、動作モード選択ボタン（コピーボタン４３ｂ、ファイリングボックスボタン４３ｃ、スキャナボタン４３ｄ、プリントボタン４３ｅ）、設定登録ボタン（設定ボタン）４３ｇ、割込みボタン４３ｈ、カウンタボタン４３ｉ、節電ボタン４３ｊ、電源ボタン４３ｋ、リセットボタン４３ｌ、ストップボタン４３ｍ、スタートボタン４３ｎ、クリアボタン４３ｏ、テンキー４３ｐ、および認証ボタン４３ｑなど有する。
【００２２】
メニューボタン４３ａは、メニュー画面の表示を指示するボタンである。コピーボタン４３ｂは、動作モードとしてコピーモードを指示するボタンである。ファイリングボックスボタン４３ｃは、保存した画像データの取り出しを指示するボタンである。スキャンボタン４３ｄは、動作モードとしてスキャンモードを指示するボタンである。プリントボタン４３ｅは、プライベート印刷などのために、動作モードとしてプリントモードを指示するボタンである。
【００２３】
たとえば、コピーモードを利用する場合、ユーザは、コピーボタン４３ｂを押す。ユーザがコピーボタン４３ｂを押すと、デジタル複合機は、コピーモードとなる。デジタル複合機がコピーモードである場合、表示部４１は、コピー設定画面を表示する。コピーボタン４３ｂを押した直後、表示部４１は、コピーモードにおけるデフォルト設定を反映したコピー設定画面を表示する。コピー設定画面を表示した状態において、ユーザは、設定内容を希望の設定内容に変更できる。たとえば、テンキー４３ｐを押すことによりコピー部数が変更できる。スタートボタン４３ｎを押すと、デジタル複合機は、表示部４１に表示した設定内容でコピーを実行する。
【００２４】
スキャンモードを利用する場合、ユーザは、スキャンボタン４３ｄを押す。ユーザがスキャンボタン４３ｄを押すと、デジタル複合機は、スキャンモードとなる。デジタル複合機がスキャンモードである場合、表示部４１は、スキャン設定画面を表示する。スキャンボタン４３ｄを押した直後、表示部４１は、スキャンモードにおけるデフォルト設定を反映したスキャン設定画面を表示する。スキャン設定画面を表示した状態で設定内容が変更できる。スタートボタン４３ｎを押すと、デジタル複合機は、表示部４１に表示した設定内容でスキャンを実行する。たとえば、デジタル複合機は、ユーザが指定する保存先へスキャンした原稿の画像データを保存する。
【００２５】
設定ボタン４３ｇは、設定値を登録する場合に指示するボタンである。たとえば、設定ボタン４３ｇを押すと、ユーザは、設定内容をオートクリアする設定時間（オートクリアの設定時間）、案内画面などで表示する言語の切替、表示装置の表示画面の明るさ調整、トナー像の階調補正の調整、用紙に対するトナー像の位置調整などの設定及び登録ができる。また、設定登録ボタン４３ｇを押すと、ユーザは、コピーモード、スキャンモード、あるいは、ファクスモードなどの各動作モードごとのデフォルト値の変更を含む設定及び登録ができる。設定ボタン４３ｇを押した後にユーザが設定したデフォルト値などの設定値は、後述するシステム制御部５内のメモリに記憶する。
【００２６】
割込みボタン４３ｈは、割込み処理を指示するボタンである。カウンタボタン４３ｉは、カウンタの表示を指示するボタンである。節電ボタン４３ｊは、動作モードとして節電モードを指示するボタンである。電源ボタン４３ｋは、電源のオンを指示するボタンである。リセットボタン４３ｌは、設定内容をクリアして、初期設定へ戻ることを指示するボタンである。ストップボタン４３ｍは、動作の停止を指示するボタンである。スタートボタン４３ｎは、コピー、スキャン、ファクスなどの動作の開始を指示するボタンである。クリアボタン４３ｏは、コピー部数などのテンキー４３ｐで入力した数値の訂正を指示するボタンである。テンキー４３ｐは、コピー部数などの数値を入力するたためのボタンである。認証ボタン４３ｑは、ユーザ認証の実行を指示するボタンである。
【００２７】
認証ボタン４３ｑが入力されると、コントロールパネル４は、認証情報入力部として機能する。認証情報入力部としてのコントロールパネル４は、ユーザが入力するユーザ認証情報を取得する。たとえば、ユーザ認証情報が数字であれば、テンキーが認証情報入力部６として機能しても良い。また、ユーザ認証情報がタッチパネル４２で入力できる情報であれば、表示部４１及びタッチパネル４２が認証情報入力部として機能しても良い。なお、認証情報入力部は、コントロールパネル４に限定されるものではなく、ユーザ認証情報を取得できるものであれば良い。たとえば、ユーザ認証情報がＩＣカードなどの記憶媒体に記憶される情報であれば、認証情報入力部としてＩＣカードリーダなどの記憶媒体からユーザ認証情報を読み取るインターフェースを設けても良い。
【００２８】
コントロールパネル４において認証ボタン４３ｑが入力されると、デジタル複合機のシステム制御部５は、ユーザ認証を実行する。たとえば、認証ボタン４３ｑが入力されると、表示部４１は、ユーザ認証情報の入力の案内を表示する。ユーザは、表示部４１に表示された案内に従ってユーザ認証情報を入力する。システム制御部５は、ユーザが入力したユーザ認証情報を取得し、取得したユーザ認証情報と当該装置内のメモリ（或はネットワーク接続されたサーバ）に記憶した登録者の認証情報とを照合することによりユーザ認証処理を実行する。
【００２９】
上記のように構成されるデジタル複合機の制御系の構成について説明する。  
図４は、デジタル複合機における制御系の構成例を説明するためのブロック図である。  
デジタル複合機は、装置全体を制御するシステム制御部５を有する。システム制御部５は、システムバスなどを介して、スキャナ１、プリンタ２、フィニッシャ３、コントロールパネル４および認証情報取得部６に接続する。システム制御部５は、スキャナ１、プリンタ２、フィニッシャ３、およびコントロールパネル４を統括的に制御する。
【００３０】
システム制御部５は、ＣＰＵ（プロセッサ）５１、メインメモリ５２、ＲＯＭ５３、不揮発性メモリ５４、ＨＤＤ５５、ページメモリ５６、外部インターフェース（Ｉ／Ｆ）５７、ユーザ認証部５８、スキャン画像処理部６１、圧縮部６２、画像判定部６３、伸張部６５、プリント画像処理部６６などを有する。
【００３１】
ＣＰＵ５１は、デジタル複合機全体を制御する。ＣＰＵ５１は、プログラムを実行することにより処理を実現するプロセッサである。ＣＰＵ５１は、システムバスを介して、装置内の各部に接続する。ＣＰＵ５１は、システム制御部５内の各部だけでなく、システムバスを介して、スキャナ１、プリンタ２、フィニッシャ３、コントロールパネル４、認証情報入力部６なども接続する。ＣＰＵ５１は、スキャナ１、プリンタ２、および、コントロールパネル４との双方向の通信により、各部へ動作指示を出力したり、各部から種々の情報を取得したりする。また、ＣＰＵ５１は、装置内の各部に設置した各種のセンサの検知信号および動作状態などを示す情報を入力する。
【００３２】
メインメモリ５２は、ＲＡＭなどにより構成される。メインメモリ５２は、ワーキングメモリ、あるいはバッファメモリとして機能する。ＲＯＭ５３は、プログラムおよび制御データなどを記憶する書換え不可の不揮発性メモリである。ＣＰＵ５１は、メインメモリ５２を使用しながらＲＯＭ５３（或は不揮発性メモリ５４、ＨＤＤ５５）に記憶したプログラムを実行することにより種々の処理を実現する。
【００３３】
また、メインメモリ５２は、現在の設定内容を記憶する設定記憶領域５２ａを有する。たとえば、ＣＰＵ５１は、まず、メインメモリ５２に処理モードに応じたデフォルト設定を設定記憶領域５２ａにロードし、その後、ユーザの設定指示に応じて各設定値を変更する。これにより、メインメモリ５２の設定記憶領域５２ａには、現在の設定内容が記憶される。ＣＰＵ５１は、メインメモリ５２の設定記憶領域５２ａに記憶している設定内容に従って処理を実行する。
【００３４】
不揮発性メモリ５４は、書換え可能な不揮発性メモリである。不揮発性メモリ５４は、ＣＰＵ５１が実行する制御プログラムおよび制御データを記憶する。不揮発性メモリ５４は、デフォルト設定情報を記憶するデフォルト設定データベース５４ａを有する。また、不揮発性メモリ５４は、デフォルト設定を変更するための変更基準の条件を記憶するメモリでもある。たとえば、デフォルト設定を変更するための変更基準の条件としては、デフォルト設定における各設定項目の各設定値に対する設定頻度（閾値）を不揮発性メモリ５４に記憶するようにしても良い。
【００３５】
デフォルト設定データベース５４ａは、ユーザ毎のデフォルト設定を記憶する。また、デフォルト設定としては、各種の処理モードごとのデフォルト設定が含まれる。デフォルト設定は、たとえば、コントロールパネル４の表示部４１に表示する設定画面、あるいは、プリンタドライバが外部装置の表示装置に表示する設定画面に初期設定値として表示される。また、デフォルト設定データベース５４ａに記憶するデフォルト設定には、各処理モードにおける処理パラメータの初期値も含まれる。
【００３６】
図５は、デフォルト設定データベース５４ａの構成例を示す図である。図５に示す例では、デフォルト設定データベース５４ａには、不特定のユーザ（ALL USER）に対するデフォルト設定とユーザ認証部５８による認証処理により認証される各ユーザに対するデフォルト設定とを記憶する。さらに、デフォルト設定データベース５４ａには、各ユーザに対するデフォルト設定として、コピーモード、スキャンモード、ファイリングモード、プリントモードなどの各種処理モードに対するデフォルト設定を記憶する。
【００３７】
ハードディクスドライブ（ＨＤＤ）５５は、大容量の記憶装置である。ＨＤＤ５５は、画像データおよび各種の履歴情報などを記憶する。また、ＨＤＤ５５は、ユーザ認証処理の対象となる登録者に関する認証情報を記憶するようにしても良い。ただし、ユーザ認証処理の対象となる登録者に関する認証情報は、外部インターフェースを介して通信可能なサーバなどの外部装置に記憶するようにしても良い。また、ＨＤＤ５５は、不揮発性メモリ５４の代わりにデフォルト設定情報を記憶したり、現在の設定内容を記憶するようにしても良い。ＨＤＤ５５には、制御プログラムおよび制御データなどを記憶しても良い。
【００３８】
また、ＨＤＤ５５は、設定履歴データベース５５ａと集計データベース５５ｂとを有する。設定履歴データベース５５ａは、過去に実行した処理の設定内容を示す設定情報（設定履歴情報）を蓄積する。集計データベース５５ｂは、設定履歴情報を集計した集計データを保存する。
【００３９】
設定履歴データベース５５ａには、実行した処理の設定情報だけでなく、実行した処理中に装置内の各センサが検知した結果を示す情報も蓄積する。図６は、設定履歴データベース５５ａの構成例である。図６に示す例では、設定履歴データベース５５ａは、実行した処理（ジョブ）における、実行したユーザ名、処理内容、処理日時および処理結果などに加えて、当該ジョブの設定内容、設定パラメータ、および、ジョブの実行時における各センサによる検知結果などを記憶する。
【００４０】
また、集計データベース５５ｂは、設定履歴データベース５５ａに記憶した設定履歴情報を集計した集計データを記憶する。図７は、集計データベース５５ｂの構成例を示す図である。図７に示す例では、集計データベース５５ｂは、各設定項目ごとの設定回数などを集計した値を記憶する。また、集計データベース５５ｂには、各センサによる検知結果を統計的に集計したデータも記憶する。
【００４１】
ページメモリ５６は、処理の対象とする画像データを展開するためのメモリである。たとえば、スキャナ１が読み取った画像データは、画像処理が施された後、ページメモリ５６に格納される。ページメモリ５６に格納された画像データは、プリント用の画像処理が施されてプリンタ２へ出力されたり、ＨＤＤ５５に保存されたり、外部インターフェース５７を介して外部装置へ送信されたりする。
【００４２】
外部インターフェース５７は、外部装置とデータ通信するインターフェースである。たとえば、外部インターフェース５７は、ネットワークを介して外部装置と通信するためのネットワークインターフェースである。たとえば、外部装置から要求するプリント処理を実行する場合、外部インターフェース５７は、当該外部装置からプリント処理における設定情報を取得したり、プリント用の画像データを取得したりするインターフェースとして機能する。
【００４３】
ユーザ認証部５８は、ユーザが入力したユーザ認証情報によりユーザを認証する。ユーザ認証部５８は、ユーザが入力したユーザ認証情報と登録者の認証情報とを照合することにより当該ユーザが登録者であるか否かを判定する。登録者の認証情報（辞書データ）は、ＨＤＤ５５に保存しても良いし、外部インターフェース５７を介して接続可能なサーバ装置などの外部装置に保存しても良い。
【００４４】
また、スキャン画像処理部６１、圧縮部６２、画像判定部６３、伸張部６５、プリント画像処理部６６は、システム制御部５における画像処理機能を司る。  
スキャン画像処理部６１は、スキャナ１が原稿から読み取った画像データを処理する。スキャン画像処理部６１は、スキャナ１が取得した画像データを設定されたパラメータに従って画像処理する。たとえば、スキャン画像処理部６１は、スキャナ１が取得した画像データに対して、解像度変換、明るさ調整、コントラスト調整、彩度調整、シャープネス調整などを行う。また、スキャン画像処理部６１は、スキャナ１が取得した画像データを複数の処理に利用する場合、それぞれの処理に応じて画像処理した複数の画像データを出力するようにしても良い。
【００４５】
圧縮部６２は、スキャン画像処理部６１が処理した画像データを圧縮する。圧縮部６２は、圧縮した画像データをページメモリ５６に記憶する。なお、圧縮部６２は、圧縮した画像データをＨＤＤあるいは外部インターフェースなどへ出力しても良い。つまり、圧縮部６２により圧縮した画像データは、ＨＤＤ５５に保存したり、外部インターフェース５７を介してユーザ端末装置などの外部装置へ送信したりしても良い。
【００４６】
画像判定部６３は、スキャナ１が読み取った画像を解析することにより画像の状態を判定する。画像判定部６３は、たとえば、自動カラーモード判定機能などを有する。自動カラーモード判定機能は、スキャナ１により読み取った原稿の画像が、フルカラーか、モノクロか）かを判定する機能である。この画像判定部６３による自動カラーモード判定機能については、後で説明する。
【００４７】
伸張部６５は、画像データを伸張する。伸張部６５は、ページメモリ５６から圧縮された画像データを読み出し、圧縮された画像データを伸張する。伸張部６５は、伸張した画像データをプリント画像処理部６６へ出力する。なお、伸張部６５は、伸張した画像データをＨＤＤ５５あるいは外部インターフェース５７などへ出力しても良い。つまり、伸張部６５により伸張した画像データは、ＨＤＤ５５に保存したり、外部インターフェース５７を介してユーザ端末装置などの外部装置へ送信したりしても良い。
【００４８】
次に、上記のように構成されるデジタル複合機が実行可能なジョブの例について説明する。  
たとえば、デジタル複合機では、ユーザがコントロールパネル４により設定情報を入力する動作モードとして、コピーモード、スキャンモード、ファイリングモード、プリンタモードなどがある。また、デジタル複合機は、プリンタドライバが動作するユーザ端末装置（外部装置）でユーザが設定情報を入力するネットワークプリントモードを有する。
【００４９】
たとえば、ユーザがコピーボタン４３ｂを指示した場合、ＣＰＵ５１は、コピーモードのデフォルト設定を反映した状態のコピー設定画面を表示部４１に表示する。また、処理モードの指示がない場合、ＣＰＵ５１は、コピーモードのデフォルト設定を反映した状態のコピー設定画面を表示部４１に表示するようしても良い。また、ユーザがスキャンボタン４３ｄを指示した場合、ＣＰＵ５１は、スキャンモードのデフォルト設定を反映した状態のスキャン設定画面を表示部４１に表示する。なお、プリントドライバのデフォルト設定情報は、デジタル複合機から各ユーザ端末装置へ通知することも可能であるものとする。
【００５０】
また、コピー設定画面あるいはスキャン設定画面では、コピーアンドファイル機能を選択できるようにしても良い。コピーアンドファイル機能は、１つの原稿に対するコピー処理とスキャン処理とを並行して実行する機能であるものとする。たとえば、コピーアンドファイル機能では、たとえば、コピー処理の解像度あるいはスキャン処理として保存する画像データの解像度を指定することも可能である。
【００５１】
コピーアンドファイル機能において、ＣＰＵ５１は、解像度などのコピー用の画像処理におけるパラメータあるいはスキャン用の画像処理におけるパラメータを、コントロールパネル４にユーザが指示する設定情報に基づいて、スキャン画像処理部６１に対して設定する。この場合、ＣＰＵ５１は、まず、コピーアンドファイル機能のデフォルト設定をロードし、ユーザの指示に応じて設定内容を変更するようにしても良い。
【００５２】
たとえば、コピーアンドファイル機能において、スキャン処理によりファイルとして保存する画像データは、データ量を削減したいという要求から、コピー処理の読み取り解像度よりも低い解像度が設定されることが多いと想定される。このようなコピーアンドファイル機能における解像度の設定は、デフォルト設定として設定可能である。たとえば、コピーアンドファイル機能のデフォルト設定は、コピー処理の読み取り解像度よりも低い解像度がスキャン用の画像処理に対して設定することが可能である。また、このようなデフォルト設定は、後述する各ユーザごとの学習機能により更新可能である。すなわち、コピーアンドファイル機能のデフォルト設定としては、スキャン用の画像処理に対する解像度を、ユーザ毎に設定回数が多い解像度に設定できる。
【００５３】
また、スキャナ１で読み取った画像データは、スキャン画像処理部６１に入力する。コピー用の画像処理とスキャン用の画像処理とは、異なる解像度が設定されることが多い。このため、スキャン画像処理部６１は、コピー用の画像処理とスキャン用の画像処理とをそれぞれ並行して実行する。スキャン画像処理部６１は、コピー用の画像処理により得た画像データをプリント用の画像データとしてページメモリ５６に記憶し、スキャン用の画像処理により得た画像データをスキャン用の画像データとしてページメモリ５６に記憶する。プリント用の画像データは、プリント画像処理部６６などを介してプリンタ２に出力され、プリンタ２により被画像形成媒体にプリントされる。また、スキャン用の画像データは、ハードウエアアクセラレータなどで所定の画像フォーマットに変換され、ＨＤＤ５５などに保存される。
【００５４】
上記コピーアンドファイル機能では、コピー処理を実行ながら並行して画像データのファイル作成を実行する。このため、コピー処理とスキャン処理とを効率的に実行できる。ただし、ユーザがファイルとして残したい画像データの解像度が高ければ高い程、ページメモリにおいて多くの記憶容量が必要となる。所定の解像度よりも低い場合には、ページメモリにコピー用、ファイル用の画像データを同時に格納することによりパフォーマンスを重視した動作が可能なる。
【００５５】
また、スキャン用の画像データとして所定の解像度よりも高い解像度を指定された場合にコピー用のパスのみを有効とし、ページメモリに格納されたコピー用画像データを一旦ＨＤＤに格納した画像データをファイル用の画像データへと変換して作成する。これにより、ページメモリにおける記憶容量の消費を抑えながらもコピーアンドファイル機能を確保することが可能となる。
【００５６】
次に、画像判定部６３によるカラーモード判定機能６３ａについて説明する。  
画像判定部６３は、カラーモード判定機能６３ａにより入力画像（スキャナ１で読み取った画像）がカラーかモノクロかを判定する。スキャナ１が各画素の値を赤成分（Ｒ）、緑成分（Ｇ）、青成分（Ｂ）の各濃度値として読み取るカラースキャナであるものとする。この場合、各画素は、赤成分（Ｒ）、緑成分（Ｇ）、青成分（Ｂ）の各濃度値によりカラー画素であるか否かが判定できる。たとえば、カラー画素は、各色の成分がばらつく（モノクロ画素は各成分の濃度値の差が小さい）。このような特徴を考慮すれば、基本的には、以下のように、各成分の差分が所定の閾値以上である場合、当該画素がカラーであると判定しても良い。
【００５７】
｜Ｒ−Ｇ｜＞ＴＨ１、｜Ｇ−Ｂ｜＞ＴＨ２、｜Ｂ−Ｒ｜＞ＴＨ３
上記のような各画素に対するカラーか否かの判定結果により、画像データ全体がフルカラー（以下、単にカラーとも称する）かモノクロかを判定できる。
【００５８】
画像判定部６３のカラーモード判定機能６３ａは、たとえば、原稿の画像データ（入力した画像データ）におけるカラー画素のカウント値Ｃｎｔにより原稿のカラーモード（カラー、モノクロの何れであるか）を判定することができる。この場合、画像判定部６３は、原稿の画像データにおけるカラー画素のカウント値Ｃｎｔに対して、以下のような判定基準により原稿のカラーモードを判定する。
【００５９】
Ｃｎｔ＜ＴＨｂは、モノクロと判定する。
【００６０】
ＴＨｂ≦Ｃｎｔは、カラー画素と判定する。
【００６１】
上記のようなカラーモード判定では、ＴＨｂの設定値を変更することにより原稿がカラー、モノクロの何れかに判定基準を設定できる。たとえば、ＴＨｂを大きくすることにより、原稿がモノクロと判定され易くなる。また、ＴＨｂを小さくすることにより、原稿がカラーと判定され易くなる。
【００６２】
また、画像判定部６３のカラーモード判定機能６３ａは、原稿の画像データにおけるカラー画素のカウント値Ｃｎｔの分類によって、原稿のカラーモード（カラー、モノクロの何れであるか）を判定するようにしても良い。  
この場合、画像判定部６３は、まず、以下のように、原稿のカラーモードがモノクロか否かを判定する。
【００６３】
ａ）Ｃｎｔ＜ＴＨｂである場合、モノクロと判定する。
【００６４】
ｂ）ＴＨｂ≦Ｃｎｔである場合、モノクロ以外（カラー）であると判定する。
【００６５】
また、不揮発性メモリ５４は、ユーザ毎のデフォルト設定として、デフォルト設定データベース５４ａにカラーモード判定に用いる閾値を記憶しても良い。この場合、不揮発性メモリ５４には、デフォルト設定としてのカラー判定用の閾値を変更する基準値として、設定履歴情報から得られるカラー設定の設定頻度に対する変更基準を記憶する。これにより、当該画像処理装置は、カラー判定に用いる閾値などのパラメータをユーザ毎のデフォルト設定として記憶することができ、さらに、それらのデフォルト設定をユーザ毎の設定履歴情報に基づいて更新することもできる。
【００６６】
次に、デフォルト設定の学習機能について説明する。  
図８は、デフォルト設定の学習機能を概念的に示す図である。  
システム制御部５には、コントロールパネル４、あるいは外部インターフェース５７を介してプリンタドライバが動作するユーザ端末装置から設定情報が入力される。また、ジョブの実行する場合、システム制御部５には、装置の状態を検知するセンサから検知情報が入力される。システム制御部５は、設定情報および検知情報を解析（集計）する。たとえば、システム制御部５は、ユーザ認証処理により認証可能な各ユーザ（あるいはＡＬＬユーザ）ごとに設定情報および検知情報を解析（集計）する。
【００６７】
システム制御部５は、集計した設定情報および検知情報により、ユーザ毎のデフォルト設定を変更する学習機能を有する。すなわち、システム制御部５は、ユーザ認証処理により認証可能な各ユーザ、あるいはＡＬＬユーザごとに設定情報および検知情報を解析（集計）することにより、各ユーザあるいはＡＬＬユーザに対するデフォルト設定を学習する機能を有する。すなわち、システム制御部５は、装置ごとのデフォルト設定（ＡＬＬユーザのデフォルト設定）あるいは各ユーザのデフォルト設定を、使用用途および画質に対する好み情報（原稿モード、明るさ調整、コントラスト調整、彩度調整、シャープネス調整など）を反映させた値に変更する。
【００６８】
システム制御部５は、ユーザがデフォルト設定の変更を指示を与えなくても、コントロールパネルに初期設定画面として表示する設定情報、あるいは、プリンタドライバの初期設定画面に表示する設定情報を適応的に変更することができる。この結果として、画像形成装置は、ユーザがデフォルト設定の変更を指示しなくても、ユーザの使用用途あるいは好みに応じたデフォルト設定を提供でき、ユーザの好みに応じた設定を容易にできる。
【００６９】
また、装置内のセンサは、たとえば、画質に関連する情報が検知できる。たとえば、センサ検知情報としては、ユーザごとの色彩情報あるいは階調情報などが挙げられる。これらの情報は、たとえば、濃度センサＳｄにより検知できる。また、被画像形成媒体にプリントされた後（例えば、定着処理後）の画質を検知するため、イメージセンサＳｉを設けて、色彩情報あるいは階調情報などの画質に関連する情報を検知しても良い。システム制御部５は、これらのセンサ検知情報を基に色変換処理あるいは階調補正処理などに利用するパラメータのデフォルト設定値と適応的に変更できる。この結果として、画像形成装置は、ユーザがデフォルト設定の変更を指示しなくても、ユーザの好みに応じたデフォルト設定を提供でき、ユーザの好みに応じた設定を容易にできる。
【００７０】
次に、学習機能の動作例について説明する。  
図９は、デフォルト設定の学習機能を説明するためのフローチャートである。  
デジタル複合機が待機状態において、システム制御部５のＣＰＵ５１は、コントロールパネル４の表示部４１にメインメニュー画面、あるいはデフォルトの処理モード（例えばコピーモード）におけるオールユーザのデフォルト設定を反映した設定画面を表示する。
【００７１】
この状態において認証ボタン４３ｑが入力されると、ＣＰＵ５１は、ユーザ認証情報の入力待ち状態とし、ユーザが入力する認証情報を受け付ける。ユーザ認証情報が入力された場合（ＡＣＴ１１、ＹＥＳ）、ＣＰＵ５１は、ユーザ認証部５８により入力されたユーザ認証情報に対するユーザ認証処理を行う（ＡＣＴ１２）。ユーザ認証処理が成功した場合、ＣＰＵ５１は、メインメモリ５２の設定記憶領域５２ａに記憶されている現在の設定内容を、認証されたユーザのデフォルト設定に変更する（ＡＣＴ１３）。
【００７２】
すなわち、ユーザ認証が成功すると、ＣＰＵ５１は、認証されたユーザのデフォルト設定をデフォルト設定データベース５４ａから読出す。ＣＰＵ５１は、設定記憶領域５２ａに記憶されている現在の設定内容をデフォルト設定データベース５４ａから読出した認証されたユーザのデフォルト設定に変更する。これに伴い、ＣＰＵ５１は、コントロールパネル４の表示部４１に表示する設定画面を認証されたユーザのデフォルト設定に更新する。
【００７３】
また、コントロールパネル４における何れかの処理モードの選択ボタンが入力された場合（ＡＣＴ１４、ＹＥＳ）、ＣＰＵ５１は、入力されたボタンに応じた処理モードに切り替える。この場合、ＣＰＵ５１は、メインメモリ５２の設定記憶領域５２ａに記憶されている現在の設定内容を、入力されたボタンの処理モードにおけるデフォルト設定に変更する（ＡＣＴ１５）。すなわち、ＣＰＵ５１は、入力された処理モードにおけるデフォルト設定をデフォルト設定データベース５４ａから読出す。ＣＰＵ５１は、設定記憶領域５２ａに記憶されている現在の設定内容をデフォルト設定データベース５４ａから読出したデフォルト設定に変更する。これに伴い、ＣＰＵ５１は、コントロールパネル４の表示部４１に表示する設定画面を指定された処理モードのデフォルト設定に更新する。
【００７４】
また、コントロールパネル４において設定情報が入力された場合（ＡＣＴ１６、ＹＥＳ）、ＣＰＵ５１は、入力されたボタンに応じて、設定記憶領域５２ａに記憶されている現在の設定内容を更新する（ＡＣＴ１７）。また、現在の設定内容が入力されると、ＣＰＵ５１は、現在の設定内容の更新に伴って表示部４１の設定画面に表示する設定内容を更新する。
【００７５】
また、ジョブの実行が指示された場合（ＡＣＴ１８、ＹＥＳ）、ＣＰＵ５１は、設定記憶領域５２ａに記憶している現在の設定内容に基づくジョブを実行する（ＡＣＴ２１）。ジョブの実行が指示された場合、ＣＰＵ５１は、現在の設定内容を実行するジョブの設定内容として確定する。ジョブの設定情報が確定すると、ＣＰＵ５１は、当該ジョブの設定内容を設定履歴情報として設定履歴データベース５５ａに保存する（ＡＣＴ２２）。この場合、設定履歴情報としては、たとえば、図５に示すように、当該ジョブの内容、実行するユーザ名、実行日時に加えて、処理内容に関連する設定情報が記憶される。
【００７６】
また、ジョブの実行中、ＣＰＵ５１は、デジタル複合機内の各センサから検知情報を取得する（ＡＣＴ２３）。ＣＰＵ５１は、各センサから取得した検知情報のうち処理パラメータの設定に関わる検知情報などを当該ジョブの設定履歴情報として設定履歴データベース５５ａに保存する（ＡＣＴ２４）。
【００７７】
当該ジョブの設定履歴情報を保存すると、ＣＰＵ５１は、当該ジョブのユーザに関連する設定履歴情報を集計する（ＡＣＴ２５）。たとえば、ＣＰＵ５１は、設定履歴データベース５５ａに保存した設定履歴情報により、当該ジョブの実行ユーザに関連する設定履歴情報に対する集計データとして、各設定項目ごとの設定回数などを集計する。また、ＣＰＵ５１は、当該ジョブの実行ユーザに関連する設定履歴情報から各センサによる検知情報なども統計的に集計する。
【００７８】
ＣＰＵ５１は、ユーザごとに集計した集計データを集計データベース５５ｂに保存する。設定履歴情報を集計すると、ＣＰＵ５１は、ユーザごとの集計データに基づいて各ユーザのデフォルト設定を変更するか否かを判断する（ＡＣＴ２６）。デフォルト設定を変更すると判断した場合（ＡＣＴ２６、ＹＥＳ）、ＣＰＵ５１は、不揮発性メモリ５４のデフォルト設定データベース５４ａに記憶している当該ジョブの実行ユーザに対するデフォルト設定を更新する（ＡＣＴ２７）。
【００７９】
たとえば、ＣＰＵ５１は、集計データにおいて設定回数が所定の変更基準としての頻度（閾値）を超えた設定項目があるか否かにより、変更すべきデフォルト設定の設定項目があると判断しても良い。設定回数が変更基準の頻度を超えた設定項目がある場合、ＣＰＵ５１は、デフォルト設定において、変更基準の頻度を超えた設定項目の設定値を変更する。また、ＣＰＵ５１は、設定履歴情報を集計して得られる各センサによる検知情報などにより当該ユーザが選択する設定による画質の傾向を判断しても良い。この場合、ＣＰＵ５１は、各ユーザがした過去の設定による画質の傾向に応じて画像処理に用いるパラメータなどを調整する。
【００８０】
また、デフォルト設定の変更の有無は、設定回数のみで判定するものに限定されない。たとえば、不揮発性メモリ５４には、予めデフォルト設定を変更するための変更基準の条件を記憶しておく。このようなデフォルト設定を変更するための条件は、各ユーザ、システム管理者あるいはサービスマンが設定できるもので良い。ＣＰＵ５１は、設定履歴情報の集計データがデフォルト設定を変更するための変更基準の条件を満たした場合、デフォルト設定の変更すると判定するようにしても良い。
【００８１】
なお、上記した学習機能の動作例は、プリンタドライバが動作し、外部インターフェース５７を介してデジタル複合機に接続したユーザ端末装置で設定情報を入力する場合にも適用できる。この場合、設定画面を表示するのは、プリンタドライバが動作し、かつ、外部インターフェース５７により当該デジタル複合機と通信可能なユーザ端末装置の表示部となる。また、ユーザ認証情報あるいは設定情報などを入力する入力部は、プリンタドライバが動作し、かつ、外部インターフェース５７により当該デジタル複合機と通信可能なユーザ端末装置の操作部となる。また、プリンタドライバによるデフォルト設定は、当該デジタル複合機から外部インターフェース５７を介して、プリンタドライバが動作するユーザ端末装置へ通知されるものとすれば良い。
【００８２】
本実施の形態の画像処理装置は、実行した処理における設定内容を設定履歴情報として蓄積し、蓄積した複数の設定履歴情報により判定される設定の傾向を学習することによりユーザ毎あるいは装置毎のデフォルト設定を更新する。これにより、本実施の形態の画像処理装置によれば、ユーザがデフォルト設定を改めて設定することが無くとも、ユーザの使用用途あるいは好みに応じた初期設定を提供でき、当該装置の利用形態あるいはユーザの趣向に応じた設定を容易にすることができる。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１…スキャナ、２…プリンタ、４…コントロールパネル、５…システム制御部、６…認証情報取得部、１０…画像読取部、２５…画像形成部、４１…表示部、４２…タッチパネル、４３…操作ボタン、５１…ＣＰＵ、５２…メインメモリ、５２ａ…設定記憶領域、５４…不揮発性メモリ、５４ａ…デフォルト設定データベース、５５…ハードディクスドライブ（ＨＤＤ）、５５ａ…設定履歴データベース、５５ｂ…集計データベース、５８…ユーザ認証部、６１…スキャン画像処理部、６３…画像判定部、６３ａ…カラーモード判定機能、６６…プリント画像処理部。
【図１】
2011166781.tif 000003
【図２】
2011166781.tif 000004
【図３】
2011166781.tif 000005
【図４】
2011166781.tif 000006
【図５】
2011166781.tif 000007
【図６】
2011166781.tif 000008
【図７】
2011166781.tif 000009
【図８】
2011166781.tif 000010
【図９】
2011166781.tif 000011